(57)【特許請求の範囲】
【請求項１】
エレベータで使用する多種多様の部品の材料に関する情報を管理するエレベータの部品材料管理装置において、
所要とする情報を入力する入力部と、部品の発注に先立ち、前記入力部から入力されるエレベータで使用する各部品毎に検索番号及び基礎的構成材料情報を対応付けた部品材料情報テーブルを有する記憶部と、所定の処理を実行するＣＰＵで構成された材料確認・検索処理部と、表示部とを備え、
前記材料確認・検索処理部は、
部品発注先から、既に部品発注元より提示された検索番号とともに製造された部品の納入を受けた際、前記入力部から前記納入部品の検索番号の入力後に表示指示を受け付けたとき、前記部品材料情報テーブルから当該検索番号に対応する部品の基礎的構成材料情報を読み出して前記表示部に表示し、この表示された部品の基礎的構成材料情報と前記納入部品及び部品納入時に受け取った材料検査証明書の記載内容とに基づき、当該納入部品の構成材料の照合を可能とする部品材料照合処理手段と、
前記納入部品の構成材料の照合完了後、前記入力部から入力される材料検査証明書に関する情報及び納入後に行う前記納入部品の材料確認試験結果の情報を、前記部品材料情報テーブルの前記納入部品の検索番号に対応付けて、それぞれ該当項目欄に追加登録し、前記基礎的構成材料情報を含めて当該納入部品の材料に関する情報とする材料確認処理手段と、
前記材料確認処理手段による前記納入部品の材料確認後、前記入力部から材料表示情報の生成指示を受けたとき、前記部品材料情報テーブルに保存される前記各部品の材料に関する情報のうち、少なくとも前記納入部品に対応する検索番号を所望の情報に変換して出力し、前記納入部品に認識できる状態で取り付け可能とする材料認識情報生成出力手段と
を設けたことを特徴とするエレベータの部品材料管理装置。
【請求項２】
請求項１に記載のエレベータの部品材料管理装置において、
前記材料認識情報生成出力手段は、前記入力部から材料表示情報の生成指示に基づき、前記部品材料情報テーブルに保存される前記納入部品に対応する検索番号を部品識別子として表現するバーコードデータに変換するとともに、前記入力部から出力制御指示を受けたとき、前記納入部品の面部に取り付け可能な当該バーコードで表した識別子として出力し、前記納入部品に認識可能な情報として取り付け可能とし、
さらに、前記材料確認・検索処理部に着脱可能に取り付けられ、前記納入部品の面部に取り付けられた前記バーコードで表した識別子を読取るデータ読取装置を設け、
このデータ読取装置で読み取った識別子に基づいて前記部品材料情報テーブルから前記該当部品の材料に関する情報を読み出して前記表示部に表示し視覚認識可能にすることを特徴とするエレベータの部品材料管理装置。
【請求項３】
請求項１に記載のエレベータの部品材料管理装置において、
前記材料認識情報生成出力手段は、前記入力部から材料表示情報の生成指示に基づき、前記部品材料情報テーブルに保存される納入部品の材料に関する情報を読み出して小型情報チップに登録し、前記該当部品に前記小型情報チップを取り付け可能とし、
さらに、前記材料確認・検索処理部に着脱可能に取り付けられ、前記納入部品に取り付けられた小型情報チップに登録された部品の材料に関する情報を無線式で読取って前記表示部に表示し視覚認識可能に読取るデータ読取装置を設けたことを特徴とするエレベータの部品材料管理装置。
【請求項４】
エレベータで使用する多種多様の部品の材料に関する情報を管理するエレベータの部品材料管理方法において、
部品の発注に先立ち、入力部から入力されるエレベータで使用する各部品毎に検索番号及び基礎的構成材料情報を対応付けて記憶させた部品材料情報テーブルを作成するステップと、
部品発注先から、部品発注元より提示された検索番号とともに製造された部品の納入を受ける際、前記入力部から前記検索番号の入力後に表示指示を受けたとき、前記部品材料情報テーブルから検索番号に対応する納入部品の前記基礎的構成材料情報を表示部に表示し、当該納入部品の前記基礎的構成材料情報と前記納入部品及び部品納入時に受け取る材料検査照明書の記載内容とに基づき、当該納入部品の構成材料の照合を可能とする部品材料照合処理ステップと、
前記納入部品の構成材料の照合完了後、前記入力部から入力される材料検査証明書に関する情報及び納入後に行う前記納入部品の材料確認試験結果の情報を、前記部品材料情報テーブルの前記納入部品の検索番号に対応付けて、それぞれ該当項目欄に追加登録し、前記基礎的構成材料情報を含めて当該納入部品の材料に関する情報とする材料確認処理ステップと、
前記材料確認処理ステップによる前記納入部品の材料確認後、前記入力部から材料表示情報の生成指示を受けたとき、前記部品材料情報テーブルに保存される前記各部品の材料に関する情報を所望の情報に変換し、前記納入部品に取り付け可能な状態で出力する材料認識情報生成出力ステップとを有することを特徴とするエレベータの部品材料管理方法。
【発明の詳細な説明】
【技術分野】
【０００１】
本発明は、エレベータで使用する各種部品の材料等に関する情報を管理するエレベータの部品材料管理装置及びその材料管理方法に関する。
【背景技術】
【０００２】
エレベータには多種多様の部品が使用されている。これらエレベータ部品は、人命の安全性、部品寿命、部品交換等の観点から、どのような材料で構成されているか確認する必要がある。
【０００３】
通常、エレベータ部品は、部品発注元となるエレベータ会社が製造委託先または自社工場に対して、手配伝票のもとに製作図面を提供し、一定の規格に基づく部品の製造を依頼する。製造委託先または自社工場では、依頼を受けた部品が出来上がると、図６に示すように部品納品時に手配伝票（写し）５１、材料検査証明書５２とともにエレベータ部品５３を部品発注元会社へ納品する。
【０００４】
部品発注元となるエレベータ会社は、自社保管用製作図面５４に記載される材料種別、材料形格と納品されたエレベータ部品５３及び材料検査証明書５２とを照合し、エレベータ部品５３の構成材料（使用材料）を確認する。そして、エレベータ部品５３の構成材料を確認した後、当該エレベータ部品５３の面部に材料検査証明書５２の番号５５を刻印などにより表示し、例えば保守点検等の際にエレベータ部品５３の構成材料などが把握可能な状態にしている。
【０００５】
また、従来、部品を構成する材料を管理する他の部品材料管理方法としては、部品発注元となるエレベータ会社は、製造委託先から情報提供を受けるためのファイルを作成し、部品製造委託先に送信する。部品製造委託先は、そのファイルに製造された部品の重量及び部品を構成する各材料の重量を記載し、部品発注元に返送する。部品発注元は、受け取った部品の重量と部品を構成する各材料の重量の和との誤差を算出し、一定値異常の誤差があるとき、誤りとして処理する方法である（特許文献１）。
【特許文献１】特開２００４−１１０５６８号公報
【発明の開示】
【発明が解決しようとする課題】
【０００６】
従って、以上のような部品材料管理方法のうち、前者の管理方法は、部品材料の確認時に個々のエレベータ部品５３に対して、膨大な種類の製作図面５４の中から確認に必要な製作図面５４を探し出し、その製作図面５４と材料検査証明書５２との比較により、材料種別、材料形格の内容を確認するが、多数の図面の中から確認用の製作図面５４を探し出すのが大変であり、材料確認時間が長くなり、部品確認に莫大なコストがかかる。
【０００７】
また、部品材料の確認作業は、現物の部品確認の他、材料検査証明書５２の内容に限られることから、その他の所望とする情報についてはその都度対応する必要がある。
【０００８】
後者の部品材料確認方法は、部品重量と部品を構成する各材料重量との関係をチェックするものであって、エレベータで使用される多数の部品の材料に関する情報を確認するものではない。
【０００９】
本発明は上記事情に鑑みてなされたもので、エレベータで使用される多数の部品の材料に関する各種情報を一元管理し、かつ、所望とする部品の材料に関する情報を外部から短時間で確認できるように表示するエレベータの部品材料管理装置及びその材料管理方法を提供することを目的とする。
【課題を解決するための手段】
【００１０】
上記課題を解決するために、本発明に係るエレベータの部品材料管理装置は、所要とする情報を入力する入力部と、部品の発注に先立ち、エレベータで使用する各部品毎に検索番号及び基礎的構成材料情報を対応付けた部品材料情報テーブルを有する記憶部と、所定の処理を実行するＣＰＵで構成された材料確認・検索処理部と、表示部とを備え、
前記材料確認・検索処理部は、部品発注先から、既に部品発注元より提示された検索番号とともに製造された部品の納入を受けた際、前記入力部から前記納入部品の検索番号の入力後に表示指示を受け付けたとき、前記部品材料情報テーブルから当該検索番号に対応する部品の基礎的構成材料情報を読み出して前記表示部に表示し、この表示された部品の基礎的構成材料情報と前記納入部品及び部品納入時に受け取った材料検査証明書の記載内容とに基づき、当該納入部品の構成材料の照合を可能とする部品材料照合処理手段と、
前記納入部品の構成材料の照合完了後、前記入力部から入力される材料検査証明書に関する情報及び納入後に行う前記納入部品の材料確認試験結果の情報を、前記部品材料情報テーブルの前記納入部品の検索番号に対応付けて、それぞれ該当項目欄に追加登録し、前記基礎的構成材料情報を含めて当該納入部品の材料に関する情報とする材料確認処理手段と、前記材料確認処理手段による前記納入部品の材料確認後、前記入力部から材料表示情報の生成指示を受けたとき、前記部品材料情報テーブルに保存される前記各部品の材料に関する情報のうち、少なくとも前記納入部品に対応する検索番号を所望の情報に変換して出力し、前記納入部品に認識できる状態で取り付け可能とする材料認識情報生成出力手段とを設けたエレベータの部品材料管理装置である。
【００１１】
また、本発明は、前記構成に新たに、前記記憶手段に保存される前記各部品の材料に関する情報を所望の情報に変換して出力し、前記該当部品に認識可能な状態で取り付ける材料認識情報生成出力手段をさらに設けた構成であってもよい。
【００１２】
さらに、本発明に係るエレベータの部品材料管理方法としては、部品の発注に先立ち、入力部から入力されるエレベータで使用する各部品毎に検索番号及び基礎的構成材料情報を対応付けて記憶させた部品材料情報テーブルを作成するステップと、部品発注先から、部品発注元より提示された検索番号とともに製造された部品の納入を受ける際、前記入力部から前記検索番号の入力後に表示指示を受けたとき、前記部品材料情報テーブルから検索番号に対応する納入部品の前記基礎的構成材料情報を表示部に表示し、当該納入部品の前記基礎的構成材料情報と前記納入部品及び部品納入時に受け取る材料検査照明書の記載内容とに基づき、当該納入部品の構成材料の照合を可能とする部品材料照合処理ステップと、前記納入部品の構成材料の照合完了後、前記入力部から入力される材料検査証明書に関する情報及び納入後に行う前記納入部品の材料確認試験結果の情報を、前記部品材料情報テーブルの前記納入部品の検索番号に対応付けて、それぞれ該当項目欄に追加登録し、前記基礎的構成材料情報を含めて当該納入部品の材料に関する情報とする材料確認処理ステップと、前記材料確認処理ステップによる前記納入部品の材料確認後、前記入力部から材料表示情報の生成指示を受けたとき、前記部品材料情報テーブルに保存される前記各部品の材料に関する情報を所望の情報に変換し、前記納入部品に取り付け可能な状態で出力する材料認識情報生成出力ステップとを有するエレベータの部品材料管理方法である。
【発明の効果】
【００１３】
本発明によれば、エレベータで使用される多数の部品の材料に関する情報を一元管理でき、外部から短時間で所望とする部品の材料に関する情報を確認可能に表示できるエレベータの部品材料管理装置及びその材料管理方法を提供できる。
【発明を実施するための最良の形態】
【００１４】
図１は本発明に係るエレベータの部品材料管理装置の一実施の形態を示す構成図である。
【００１５】
部品材料管理装置は、部品発注元となるエレベータ製造据付け会社やエレベータサービス会社が所有し、通常，汎用コンピュータ（ＰＣ）などが使用されるが、例えば専ら部品材料の管理専用の装置であっても構わない。
【００１６】
部品材料管理装置は、キーボード，ポインティングデバイスなどの入力部１と、各種の部品の材料に関する情報を登録処理し、また、各部品から部品の材料に関する情報を読取処理するＣＰＵで構成される材料確認・検索処理本体部２と、各部品の材料に関する情報を記憶する部品材料情報記憶部３と、表示部４と、必要に応じて材料確認・検索処理本体部２に着脱可能に接続されるデータ読取装置５とが設けられている。
【００１７】
前記入力部１は、予めエレベータで使用される各種の部品の材料情報（例えば各部品毎の検索番号，材料種別，材料形格等）を入力し、部品材料情報記憶部３上に形成される部品材料情報テーブル３ａに基礎的な構成材料情報として登録し、また、製造された部品の納入時などに当該納入部品の構成材料情報に対応付けて他の所要とする材料に関する情報を入力し、前記テーブル３ａに追加する機能を持っている。以下、基礎的な構成材料情報及び当該構成材料情報に対応付け登録される材料の情報などを含めて部品の材料に関する情報と総称する。
【００１８】
材料確認・検索処理本体部２は、図２に示すように部品の納品時に納品部品の構成材料情報を照合する部品材料照合処理手段２Ａと、この照合後の材料確認試験の結果を部品材料情報テーブル３ａに追加的に登録する材料確認処理手段２Ｂと、部品材料情報テーブル３ａに保存された部品の材料に関する情報を、例えばバーコードやＱＲコード等の識別子６や小型ＩＣチップ７に書き込み可能な情報、つまり外部から認識可能な情報（バーコード、ＩＣチップ登録可）に変換し、該当部品８に取り付け可能にする材料認識情報生成出力手段２Ｃとが設けられている。
【００１９】
部品材料情報記憶部３は、内部記憶装置であってもよく、あるいは磁気ディスク等の外部記憶装置であってもよい。
【００２０】
データ読取装置５は、バーコード等の識別子６のイメージ画像を光学的に読み取り、デジタルコード情報に変換するイメージ読取スキャナ、小型情報チップ（ＩＣチップ）７に書き込まれている部品の材料に関する情報を無線にて読み取る例えばデータ読取装置などがある。
【００２１】
次に、以上のように構成されたエレベータの部品材料管理装置の作用及びその材料管理方法の一連の処理ステップについて、図３及び図４を参照して説明する。図３は材料管理方法を説明する一連の処理の流れを説明する図、図４は処理の動きを模式的に表わした図である。
【００２２】
先ず、部品製造委託先または自社工場から製造された部品の納品を受ける際、発注元となるエレベータ製造据付け会社やエレベータサービス会社から提示された検索番号（写し）１１と、材料検査証明書１２と、製造された部品８とを受け取ると、入力部１から写しの検索番号１１を入力し表示指令を入力すると、材料確認・検索処理本体部２は、部品材料照合処理手段（部品材料管理方法における部品材料照合処理ステップに相当する）２Ａを実行する。なお、検索番号１１としては、部品を特定できるものであれば、如何なるものであってもよく、例えば製作図面番号であってもよい。
【００２３】
部品材料照合処理手段２Ａは、検索番号１１に従い、部品材料情報記憶部３のテーブル３ａから検索番号１１に対応する納入部品８の構成材料情報１３を読出して表示部４に表示し（Ｓ１，Ｓ２）、納入部品８の構成材料の照合を行う。
【００２４】
構成材料の照合は、表示部４に表示される構成材料情報１３と、現物である納入部品８及び材料検査証明書１２の記載内容とを比較照合し、当該納入部品８の構成材料の照合を行う。
【００２５】
なお、構成材料情報１３は、検索番号１１に基づいて選択される部品に関する情報であって、例えば製作図面からその部品に要求される例えば物理的な特性を満たす材料に関する情報が望ましい。構成材料情報１３の項目としては、材料の種別、材料形格、材料強度、硬度、表面粗さ、塗色等が考えられる。具体例としては、鋼材であれば鋼種SS４００、SPHC等であり、鋼板であれば板厚、型鋼であれば型鋼の寸法形格、個々の材料の適用規格等である。
【００２６】
以上のようにして部品材料の照合処理が完了すると、材料検査証明書１２の番号１４が入力されたか否かを判断し（Ｓ３）、入力されない場合には必要に応じて番号１４の入力を促し（Ｓ４）、材料検査証明書１２の番号１４が入力された場合には納品部品の検索番号に対応付けて材料検査証明書項目欄に番号１４を書き込む（Ｓ５）。
【００２７】
しかる後、材料確認・検索処理本体部２は、材料確認処理手段（部品材料管理方法における材料確認処理ステップに相当する）２Ｂを実行し、材料確認試験の結果データ１５を前記材料検査証明書の番号１４に対応付けて追加書き込みする（Ｓ６）。
【００２８】
材料確認試験は材料の確認検査を行う場合に実施する。具体例としては、引張試験による強度確認（引張強さ、降伏点、伸び）、硬度試験、成分分析等であって、材料確認試験の結果１５はに入力部１から入力され、前述した材料検査証明書１２の番号１４に対応付けて材料確認試験結果の項目欄に追加登録する（Ｓ６）。
【００２９】
なお、材料確認方法には、前述した具体例の他、材料の種々の特性を評価できるもの、部品製造過程で検査を行うもの、例えば超音波探傷、塗装の膜厚測定に関するものでもよい。
【００３０】
また、部品材料情報テーブル３ａには、部品の構成材料に関する情報として、必要に応じて上記以外の項目に関する情報１６も登録することができる。例えば、部品の納品日、製造メーカ名、鋼材メーカ名等、材料・製品に関する如何なる情報でもよい。
【００３１】
部品の材料確認後、材料認識情報生成出力手段（部品材料管理方法における材料認識情報生成出力ステップに相当する）２Ｃを実行する。  
材料認識情報生成出力手段２Ｃは、材料表示情報の生成指令に基づき（Ｓ７）、部品材料情報テーブル３ａに保存された該当部品８の構成材料に関する情報１７について、識別子６として表現するバーコード情報に変換し、あるいはＩＣチップ７に記憶可能なデータ形式に変換するなど、外部で認識可能な情報を生成し（Ｓ８）、適宜な記憶手段に記憶する。
【００３２】
そして、材料認識情報生成出力手段２Ｃは、入力部１からの出力制御指示に基づき（Ｓ９）、バーコードで表わした識別子７として出力し、あるいはＩＣチップ７に書き込むことにより（Ｓ１０）、該当部品８に認識可能な情報として取り付け可能にする。
【００３３】
なお、部品８への認識可能情報の取り付け方法は、貼り付けの他、塗色による塗布、埋め込み等がある。
【００３４】
さらに、認識可能な情報を有する識別子６やＩＣチップ７を取り付けた各部品３は、図５に示すようにエレベータに組み込み後、部品交換時、あるいは保守点検時などの際、材料確認・検索処理本体部２に着脱可能にデータ読取装置５を接続し、識別子６に表現されるバーコードやＩＣチップ７に記憶された情報を読み取り解析し、その読み取った検索番号から部品材料情報テーブル３ａに保存された該当部品８の材料に関する情報１７を検索し、表示部４に表示する。
【００３５】
従って、以上のような実施の形態によれば、時期、場所を問わず、データ読取装置５により部品８に取り付けた識別子６またはＩＣチップ７に近づけるだけで、最小限の時間で部品の材料に関する情報１７を読み取ることができ、また、多くの情報を表示部４に表示できるので、部品の必要とする材料に関する各種の情報を短時間で確認できる。
【００３６】
その他、本発明は、上記実施の形態に限定されるものでなく、その要旨を逸脱しない範囲で種々変形して実施することが可能である。
【図面の簡単な説明】
【００３７】
【図１】本発明に係るエレベータの部品材料管理装置の一実施の形態を示す構成図。
【図２】図１に示す材料確認検索処理本体部における機能構成図。
【図３】部品材料管理装置の動作ないし材料管理方法を説明する一連の処理の流れを説明する図。
【図４】処理の流れを模式的に表わした図。
【図５】部品から当該部品の使用材料に関する情報を読み取る例を説明する図。
【図６】従来の部品の使用材料に関する情報の確認を説明する模式図。
【符号の説明】
【００３８】
１…入力部、２…材料確認検索処理本体部、２Ａ…部品材料照合処理手段、２Ｂ…材料確認処理手段、２Ｃ…材料認識情報生成出力手段、３…部品材料情報記憶部、３ａ…部品材料情報テーブル、４…表示部、５…データ読取装置、６…識別子、７…ＩＣチップ、８…部品、１１…検索番号、１２…材料検査証明書、１３…使用材料情報、１４…材料検査証明書の番号、１５…材料確認試験結果データ。
【図１】
0004657333.tif 000002
【図２】
0004657333.tif 000003
【図３】
0004657333.tif 000004
【図４】
0004657333.tif 000005
【図５】
0004657333.tif 000006
【図６】
0004657333.tif 000007